(57)【特許請求の範囲】
【請求項１】
雨水を蓄える雨水貯水槽の上部に取り付けられる雨水貯水槽用樋接続部材であって、
竪樋の下端部分を受け入れる樋接続上部材と、前記竪樋の下端から流出する雨水を前記雨水貯水槽に導く樋接続下部材とを有し、
前記樋接続下部材は、雨水を前記雨水貯水槽に導く導水管と、雨水を該導水管に導くように傾斜した案内傾斜底壁とを有してなり、
前記樋接続下部材が受け入れた雨水を整流して前記導水管に導くように前記案内傾斜底壁にリブが設けられ、
前記樋接続上部材は、前記竪樋の下端部分を囲う受入筒部と、前記樋接続下部材の上部を蓋する蓋部とを有し、
前記受入筒部の内側面に内向きに乱流防止用のリブが設けられてなることを特徴とする雨水貯水槽用樋接続部材。
【請求項２】
前記樋接続上部材と前記樋接続下部材とが着脱可能であることを特徴とする請求項１記載の雨水貯水槽用樋接続部材。
【請求項３】
前記樋接続下部材に雨水を濾過するフィルターが装着される段差部が設けられ、前記フィルターが前記段差部に嵌合して装着されることを特徴とする請求項２記載の雨水貯水槽用樋接続部材。
【発明の詳細な説明】
【技術分野】
【０００１】
本願発明は雨水貯水槽と雨樋とを接続する接続部材に関するものである。
【背景技術】
【０００２】
従来から、図１に示すような雨水貯水槽に用いる樋接続部材が知られている。
【０００３】
図１は、この樋接続部材の分解斜視図である。
【０００４】
図１において、１は雨水貯水槽であり、２は雨水貯水槽１に雨水を導く竪樋、３は樋接続部材である。
【０００５】
樋接続部材３は、雨水貯水槽１の上部に取り付けられた樋接続下部材３ａと、竪樋２の下端部分を受け入れる樋接続上部材３ｂとによって構成されている。
【０００６】
樋接続下部材３ａには、雨水貯水槽１内に雨水を送り込む短管部４と、短管部４に雨水を導くように傾斜した案内傾斜底壁５と、案内傾斜底壁５の周囲を囲って鉛直方向上向きに伸びる外周壁６とが設けられている。
【０００７】
更に、短管部４の外周には半径方向外向きに固定用フランジ７が設けられている。
【０００８】
そして、雨水貯水槽１の上壁に設けられた取水口（図示省略）に短管部４を貫挿して、雨水貯水槽１に固定用フランジ７をネジで固定することによって、樋接続下部材３ａは雨水貯水槽１に固定されている。
【０００９】
また、樋接続上部材３ｂには、樋接続下部材３ａに蓋をする蓋部８と、竪樋２の下端部分を囲う受入筒部９とが設けられている。
【００１０】
樋接続上部材３ｂは、蓋部８が外周壁６の上端部分に嵌合することによって、樋接続下部材３ａに着脱可能なように取り付けられる。
【００１１】
この他、特許文献１に、屋根に降った雨水を集水して竪樋から貯留槽に貯留する雨水貯留装置について記載されている。
【特許文献１】特開２００３−１５５７６１号公報
【発明の開示】
【発明が解決しようとする課題】
【００１２】
図２は樋接続部材３の縦断面図である。
【００１３】
ところで、図２に示されるように、樋接続部材３では、雨量が多く、竪樋２から流入する雨水の量が所定量より多くなると、樋接続部材３の内部に乱流が生じ雨水が停留する。
【００１４】
このため、雨水貯水槽１への一定時間における雨水の流出量が減り、樋接続部材３内部の水位が上昇し、竪樋２と受入筒部９との隙間から雨水が溢れてしまう虞があった。
【００１５】
更に、樋接続部材３内部の水位が上昇することで、この乱流の表面から飛散する水滴が、竪樋２と受入筒部９との隙間を通って飛散し、雨水貯水槽１の周囲を水浸しにしてしまう虞があった。
【００１６】
そこで本願発明では、雨水貯水槽の周囲に雨水が漏水したり、飛散したりしない雨水貯水槽用樋接続部材を提供することを課題としている。
【課題を解決するための手段】
【００１７】
上記目的を達成するために、請求項１に記載された発明は、雨水を蓄える雨水貯水槽の上部に取り付けられる雨水貯水槽用樋接続部材であって、
竪樋の下端部分を受け入れる樋接続上部材と、前記竪樋の下端から流出する雨水を前記雨水貯水槽に導く樋接続下部材とを有し、
前記樋接続下部材は、雨水を前記雨水貯水槽に導く導水管と、雨水を該導水管に導くように傾斜した案内傾斜底壁とを有してなり、
前記樋接続下部材が受け入れた雨水を整流して前記導水管に導くように前記案内傾斜底壁にリブが設けられ、
前記樋接続上部材は、前記竪樋の下端部分を囲う受入筒部と、前記樋接続下部材の上部を蓋する蓋部とを有し、
前記受入筒部の内側面に内向きに乱流防止用のリブが設けられてなる雨水貯水槽用樋接続部材を特徴としている。
【００１９】
また、請求項２に記載された発明は、前記樋接続上部材と前記樋接続下部材とが着脱可能である請求項１記載の雨水貯水槽用樋接続部材を特徴としている。
【００２０】
更に、請求項３に記載された発明は、前記樋接続下部材に雨水を濾過するフィルターが装着される段差部が設けられ、前記フィルターが前記段差部に嵌合して装着される請求項２記載の雨水貯水槽用樋接続部材を特徴としている。
【発明の効果】
【００２１】
このように構成された本願発明の請求項１記載のものは、竪樋の下端から流れ込む雨水が、案内傾斜底壁の上側表面に設けられたリブによって整流され、雨水がスムーズに導水管に流れ込むので、リブがない場合に比べて、雨水貯水槽への流水量を増大させることができる。
【００２２】
このため、雨水貯水槽用樋接続部材内に停留する雨水の水位が、リブがない場合に比べて低い位置になるので、樋接続上部材と竪樋との隙間から雨水が溢れるのを防ぐことができる。
【００２３】
しかも、リブがない場合に比べて、樋接続下部材内で乱流の発生が抑制されるので、樋接続上部材と竪樋との隙間から水滴が飛散するのを防ぐことができる。
【００２４】
そして、本願発明の請求項１記載のものは、受入筒部の内側面に乱流防止用のリブが設けられているので、雨水貯水槽用樋接続部材内に流入する雨量が所定量より多く、雨水貯水槽用樋接続部材内の雨水の水位が乱流防止用のリブの高さより高くなると、このリブによって乱流が抑制される。
【００２５】
このため、受入筒部と竪樋との隙間から雨水が溢れたり、水滴が飛散するのを防ぐことができる。
【００２６】
しかも、受入筒部と竪樋との隙間が乱流防止用のリブによって遮蔽されるので、この隙間から水滴が飛散するのを防ぐことができる。
【００２７】
また、本願発明の請求項２記載のものは、樋接続上部材と樋接続下部材とが着脱可能なので、樋接続上部材の取り外しができて、容易に雨水貯水槽用樋接続部材の内部を掃除することができる。
【００２８】
更に、本願発明の請求項３記載のものは、樋接続下部材に雨水を濾過するフィルターが装着される段差部が設けられ、フィルターが段差部に嵌合して装着されるので、フィルターが安定して装着される。
【００２９】
しかも、請求項２の構成によって、樋接続上部材と樋接続下部材とが着脱可能なので、容易にフィルターの交換ができる。
【発明を実施するための最良の形態】
【００３０】
以下、本願発明の雨水貯水槽用樋接続部材に係る最良の実施の形態について図面に基づいて説明する。
【実施例１】
【００３１】
〈構成〉
図３は実施例１の樋接続部材が用いられた雨水貯水槽の設置状態を示す斜視図である。
【００３２】
図３において、１１は建物の外壁であり、１２は外壁１１に沿って設置された略直方体形状の雨水貯水槽、１３は雨水貯水槽１２に雨水を導く竪樋である。
【００３３】
雨水貯水槽１２の下部には補強脚１４が設けられ、上部には樋接続部材１５が設けられている。この補強脚１４は樹脂製であり、ブロアー成形によって形成されている。
【００３４】
図４は、主に樋接続部材１５を説明する分解斜視図である。
【００３５】
図４において、樋接続部材１５は、雨水貯水槽１２の上部に取り付けられた樋接続下部材１５ａと、竪樋１３の下端部分を受け入れる樋接続上部材１５ｂとによって構成されている。
【００３６】
樋接続下部材１５ａには、雨水貯水槽１２内に雨水を送り込む短管部１６と、短管部１６に雨水を導くように傾斜した案内傾斜底壁１７と、案内傾斜底壁１７の周囲を囲って鉛直方向上向きに伸びる外周壁１８とが設けられている。
【００３７】
案内傾斜底壁１７の上面には、短管部１６の上端開口の中心から略放射状に５本のリブ１７ａが突設形成されている。
【００３８】
更に、短管部１６の外周には半径方向外向きに固定用フランジ１９が設けられている。
【００３９】
そして、雨水貯水槽１２の上壁に設けられた取水口（図示省略）に短管部１６を貫挿して、雨水貯水槽１２に固定用フランジ１９をネジで固定することによって、樋接続下部材１５ａは雨水貯水槽１２に固定されている。
【００４０】
更に、短管部１６の上端縁と案内傾斜底壁１７との境界付近には、雨水を濾過するフィルター２０を受け入れる環状の段差部２１が設けられている。
【００４１】
また、樋接続上部材１５ｂには、樋接続下部材１５ａに蓋をする蓋部２２と、竪樋１３の下端部分を囲う受入筒部２３とが設けられている。
【００４２】
この受入筒部２３の内周面には、内周側に乱流防止用の４本のリブ２３ａが突設形成されている。
【００４３】
そして、樋接続上部材１５ｂは、蓋部２２が外周壁１８の上端部分に嵌合することによって、樋接続下部材１５ａに着脱可能なように取り付けられる。
〈樋接続部材１５のメンテナンス方法〉
雨樋から流れてきた雨水には、木の葉やゴミ、塵などが混入しているので、これらを濾過するために、樋接続下部材１５ａの段差部２１にフィルター２０を嵌合させて装着する。
【００４４】
ところで、樋接続部材１５の取水性能を維持するために、このフィルター２０の上に溜まった木の葉やゴミ等を定期的に取り除く必要があり、フィルター２０も定期的に交換する必要がある。
【００４５】
この際、樋接続下部材１５ａから樋接続上部材１５ｂを取り外し、受入筒部２３に竪樋１３を挿通したまま、樋接続上部材１５ｂを上方に持ち上げて、樋接続下部材１５ａ内部の掃除やフィルター２０の交換を行う。
〈樋接続部材１５の作用効果〉
図５は、樋接続部材１５の縦断面図であり、雨水が流れる様子を示している。
【００４６】
図５に示すように、竪樋１３の下端から流れ込む雨水が、案内傾斜底壁１７の上側表面に設けられたリブ１７ａによって整流され、雨水がスムーズに短管部１６に流れ込むので、リブ１７ａがない場合（図２）に比べて、雨水貯水槽１２への流水量を増大させることができる。
【００４７】
このため、樋接続部材１５内に停留する雨水の水位が、リブ１７ａがない場合に比べて低い位置になるので、樋接続上部材１５ｂと竪樋１３との隙間から雨水が溢れるのを防ぐことができる。
【００４８】
しかも、リブ１７ａがない場合に比べて樋接続下部材１５ａ内で乱流の発生が抑制されるので、樋接続上部材１５ｂと竪樋１３との隙間から水滴が飛散するのを防ぐことができる。
【００４９】
そして、受入筒部２３の内側面に乱流防止用のリブ２３ａが設けられているので、樋接続部材１５内に流入する雨量が所定量より多く、樋接続部材１５内の雨水の水位が乱流防止用のリブ２３ａの高さより高くなると、このリブ２３ａによって乱流が抑制される。
【００５０】
このため、受入筒部２３と竪樋１３との隙間から雨水が溢れたり、水滴が飛散するのを防ぐことができる。
【００５１】
しかも、受入筒部２３と竪樋１３との隙間が乱流防止用のリブ２３ａによって遮蔽されるので、この隙間から水滴が飛散するのを防ぐことができる。
【００５２】
また、樋接続上部材１５ｂと樋接続下部材１５ａとが着脱可能であるので、樋接続上部材１５ｂの取り外しができて、容易に樋接続部材１５の内部を掃除することができる。
【００５３】
更に、樋接続下部材１５ａに雨水を濾過するフィルター２０が装着される段差部２１が設けられ、フィルター２０が段差部２１に嵌合して装着されるので、フィルター２０が安定して装着される。
【００５４】
しかも、樋接続上部材１５ｂと樋接続下部材１５ａとが着脱可能なので、容易にフィルター２０の交換ができる。
〈補強脚１４の構成と取付け方法〉
図６は補強脚１４を説明する分解斜視図であり、図７は補強脚１４の縦断面図であり、雨水貯水槽１２に補強脚１４を取付ける手順を表す図である。
【００５５】
図６に示すように、雨水貯水槽１２の下部には、補強脚取付けネジ部１２ａが一体に膨出形成されている。
【００５６】
補強脚１４は樹脂製であり、ブロアー成形によって形成され、図６乃至図８に示すように、底部に略長方形状の開口部が設けられた筐体形状を呈している。
【００５７】
なお、図７に示すように、補強脚１４はブロアー成形によって形成されるので、側壁等のは内部が中空になっている。
【００５８】
また、図７に示すように、補強脚１４には、上壁の中央に補強脚取付けネジ部１２ａを挿通する穴１４ａが設けられている。
【００５９】
図６乃至図８に示すように、補強脚１４の内部には、断面が略Ｌ字形状の金属補強板２５が取り付けられている。
【００６０】
金属補強板２５は鉄製で、表面に防錆のためにメッキ処理が施されている。
【００６１】
また、図６に示すように、金属補強板２５は、側板２５ａと、天板２５ｂとを有していて、天板２５ｂには、補強脚取付けネジ部１２ａとの干渉を避けるために切欠部２５ｃが設けられている。
【００６２】
図７に示すように、補強脚１４の内部に金属補強板２５を挿入して、金属補強板２５の切欠部２５ｃを補強脚取付けネジ部１２ａの外周縁に当接させながら、金属補強板２５の側板２５ａの下端縁を補強脚１４の内側壁の下端縁の角部に嵌め込む。
【００６３】
そして、補強脚１４の穴１４ａと、２枚の金属補強板２５の切欠部２５ｃとに補強脚取付けネジ部１２ａを通し、金属補強板２５を挟み込んだ状態で、補強脚取付けネジ部１２ａに固定キャップ２６をねじ込んで、補強脚１４を雨水貯水槽１２に固定する。
【００６４】
なお、雨水貯水槽１２に補強脚１４を装着した状態を図８に示す。
【００６５】
図８は雨水貯水槽１２に補強脚１４を取り付けた状態で補強脚１４を裏側から見た斜視図である。
〈補強脚１４の作用効果〉
補強脚１４は樹脂製でブロアー成形によって形成されるので、製造し易く、製造コストを抑えることができる。
【００６６】
しかしながら、補強脚１４本体だけでは側壁等の肉厚が薄いために、雨水が満杯になった雨水貯水槽１２の重量を支えるには強度が不十分であった。
【００６７】
そこで、鉄板にメッキを施した安価な金属補強板２５を補強板に用いることによって、所望の強度に補強し、しかも、安価な補強脚１４を構成することができる。
【００６８】
以上、図面を参照して、本願発明の最良の実施の形態を詳述してきたが、具体的な構成は、この実施の形態に限らず、本願発明の要旨を逸脱しない程度の設計的変更は、本願発明に含まれる。
【００６９】
なお、本願発明の実施例１では、案内傾斜底壁１７の上面に５本のリブ１７ａが形成され、受入筒部２３に４本のリブ２３ａが形成されているが、整流、或いは、乱流防止の効果を奏するのであれば、リブの数は、これらの本数に限らない。
【図面の簡単な説明】
【００７０】
【図１】図１は従来例の樋接続部材を説明する分解斜視図である。
【図２】図２は従来例の樋接続部材を説明する縦断面図である。
【図３】図３は実施例１の樋接続部材を説明する斜視図であって、建物の外壁に雨水貯水槽を設置した状態の図である。
【図４】図４は実施例１の樋接続部材を説明する分解斜視図である。
【図５】図５は本願発明の樋接続部材を説明する縦断面図である。
【図６】図６は補強脚を説明する部分分解斜視図である。
【図７】図７は補強脚を説明する縦断面図であり、雨水貯水槽に補強脚を取付ける手順を表す図である。
【図８】図８は補強脚を説明する裏面側から見た斜視図であって、雨水貯水槽に補強脚を装着した状態の図である。
【符号の説明】
【００７１】
１２                    雨水貯水槽
１３                    竪樋
１５                    樋接続部材（雨水貯水槽用樋接続部材）
１５ａ                  樋接続下部材
１５ｂ                  樋接続上部材
１６                    短管部（導水管）
１７                    案内傾斜底壁
１７ａ                  リブ
２０                    フィルター
２１                    段差部
２２                    蓋部
２３                    受入筒部
２３ａ                  リブ
【図１】
0004575308.tif 000002
【図２】
0004575308.tif 000003
【図３】
0004575308.tif 000004
【図４】
0004575308.tif 000005
【図５】
0004575308.tif 000006
【図６】
0004575308.tif 000007
【図７】
0004575308.tif 000008
【図８】
0004575308.tif 000009